【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
ワイヤレス通信装置のワイヤレスネットワークとの通信のための方法であって、
前記ワイヤレスネットワーク中のアクセスポイントに関係する識別子を含む事業者制御リストを維持すること、前記事業者制御リストに含まれる前記識別子は、前記ワイヤレスネットワークから受信したコマンドに少なくとも部分的に基づいて追加されおよび削除される、と、
前記ワイヤレスネットワーク中のアクセスポイントに関係する識別子を含むユーザ制御リストを維持すること、前記ユーザ制御リストに含まれる前記識別子は、前記ワイヤレス通信装置のユーザインターフェースからの入力に少なくとも部分的にしたがって追加されおよび削除される、と、
前記ワイヤレスネットワークへのアクセスを要求するための１つまたは複数のアクセスポイントを判断する際に前記事業者制御リストおよび前記ユーザ制御リスト中に維持された前記識別子を利用すること、前記識別子を利用することは、競合が起こる場合、前記事業者制御リストおよび前記ユーザ制御リストのどちらが優先するかを判断することを含む、と、を備える方法。
【請求項２】
前記事業者制御リストが、前記ワイヤレスネットワークへのアクセスを与えるには不適当なアクセスポイントに関係する識別子のブラックリストである、請求項１に記載の方法。
【請求項３】
前記ユーザ制御リストが、前記ワイヤレスネットワークへのアクセスを与えるには不適当なアクセスポイントに関係する識別子のブラックリストである、請求項１に記載の方法。
【請求項４】
前記ワイヤレスネットワークから受信したコマンドに少なくとも部分的に基づいて、識別子の前記事業者制御リストを修正することをさらに備える、請求項１に記載の方法。
【請求項５】
与えられたユーザインターフェースから受信した入力に少なくとも部分的に基づいて、識別子の前記ユーザ制御リストを修正することをさらに備える、請求項１に記載の方法。
【請求項６】
ワイヤレスネットワークとの通信における使用のためのワイヤレス通信装置であって、
ワイヤレスネットワーク中のアクセスポイントに関係する識別子を含む事業者制御リストを管理すること、前記事業者制御リストの前記識別子は、前記ワイヤレスネットワークから受信したコマンドに少なくとも部分的に基づいて追加されおよび削除される、と、
前記ワイヤレスネットワーク中のアクセスポイントに関係する識別子を含むユーザ制御リストを管理すること、前記ユーザ制御リストに含まれる前記識別子は、前記ワイヤレス通信装置のユーザインターフェースからの入力に少なくとも部分的にしたがって追加されおよび削除される、と、
前記事業者制御リストおよび／または前記ユーザ制御リスト中の前記識別子に基づいて、前記ワイヤレスネットワークへのアクセスを要求するための１つまたは複数のアクセスポイントを判断すること、前記１つまたは複数のアクセスポイントを判断することは、競合が起こる場合、前記事業者制御リストおよび前記ユーザ制御リストのどちらが優先するかを判断することを含む、と、のために構成された少なくとも１つのプロセッサと、
前記少なくとも１つのプロセッサに結合されたメモリと、を備えるワイヤレス通信装置。
【請求項７】
前記事業者制御リストが、前記ワイヤレスネットワークへのアクセスを与えるには不適当なアクセスポイントに関係する識別子のブラックリストである、請求項６に記載のワイヤレス通信装置。
【請求項８】
ワイヤレスネットワークとの通信における使用のための装置であって、
前記ワイヤレスネットワーク中のアクセスポイントに関係する識別子を含む事業者制御リストと前記ワイヤレスネットワーク中のアクセスポイントに関係する識別子を含むユーザ制御リストとを維持するための手段、前記事業者制御リストに含まれる前記識別子は、前記ワイヤレスネットワークから受信したコマンドに少なくとも部分的に基づいて追加されおよび削除され、前記ユーザ制御リストに含まれる前記識別子は、ワイヤレス通信装置のユーザインターフェースからの入力に少なくとも部分的にしたがって追加されおよび削除される、と、
前記事業者制御リストおよび／または前記ユーザ制御リスト中の前記識別子に基づいて、前記ワイヤレスネットワークへのアクセスを要求するための１つまたは複数のアクセスポイントを判断するための手段、前記１つまたは複数のアクセスポイントを判断するための手段は、競合が起こる場合、前記事業者制御リストおよび前記ユーザ制御リストのどちらが優先するかを判断するための手段を含む、と、を備える装置。
【請求項９】
前記事業者制御リストが、前記ワイヤレスネットワークへのアクセスを与えるには不適当なアクセスポイントに関係する識別子のブラックリストである、請求項８に記載の装置。
【請求項１０】
ワイヤレス通信装置のワイヤレスネットワークとの通信のためのコンピュータプログラムであって、
前記ワイヤレスネットワーク中のアクセスポイントに関係する識別子を含む事業者制御リストを維持することを少なくとも１つのコンピュータに行わせるためのコード、前記事業者制御リストに含まれる前記識別子は、前記ワイヤレスネットワークから受信したコマンドに少なくとも部分的に基づいて追加されおよび削除される、と、
前記ワイヤレスネットワーク中のアクセスポイントに関係する識別子のユーザ制御リストを維持することを前記少なくとも１つのコンピュータに行わせるためのコード、前記ユーザ制御リストに含まれる前記識別子は、前記ワイヤレス通信装置のユーザインターフェースからの入力に少なくとも部分的にしたがって追加されおよび削除される、と、
前記ワイヤレスネットワークへのアクセスを要求するための１つまたは複数のアクセスポイントを判断する際に前記事業者制御リストおよび前記ユーザ制御リスト中に維持された前記識別子を利用することを前記少なくとも１つのコンピュータに行わせるためのコード、前記識別子を利用することを前記少なくとも１つのコンピュータに行わせるためのコードは、競合が起こる場合、前記事業者制御リストおよび前記ユーザ制御リストのどちらが優先するかを判断することを前記少なくとも１つのコンピュータに行わせるためのコードを含む、と、を備えるコンピュータプログラム。
【請求項１１】
前記事業者制御リストが、前記ワイヤレスネットワークへのアクセスを与えるには不適当なアクセスポイントに関係する識別子のブラックリストである、請求項１０に記載のコンピュータプログラム。
【請求項１２】
ワイヤレスネットワークとの通信における使用のための装置であって、
前記ワイヤレスネットワーク中のアクセスポイントに関係する識別子を含む事業者制御リストを管理し、前記ワイヤレスネットワーク中のアクセスポイントに関係する識別子を含むユーザ制御リストを管理するリストメインテナ、前記事業者制御リストに含まれる前記識別子は、前記ワイヤレスネットワークから受信したコマンドに少なくとも部分的に基づいて追加されおよび削除され、前記ユーザ制御リストに含まれる前記識別子は、前記ワイヤレス通信装置のユーザインターフェースからの入力に少なくとも部分的にしたがって追加されおよび削除される、と、
前記ワイヤレスネットワークへのアクセスを要求する元であるアクセスポイントを選択する際に前記事業者制御リストおよび前記ユーザ制御リスト中に維持された前記識別子を利用するアクセスポイント評価器、前記アクセスポイントを選択することは、競合が起こる場合、前記事業者制御リストおよび前記ユーザ制御リストのどちらが優先するかを判断することを前記少なくとも１つのコンピュータに行わせるためのコードを含む、と、を備える装置。
【請求項１３】
前記ワイヤレスネットワークから受信した、前記事業者制御リストを更新するための１つまたは複数のコマンドを処理するネットワークコマンドアナライザをさらに備える、請求項１２に記載の装置。
【請求項１４】
インターフェース上に提示された、前記ユーザ制御リストを更新するための１つまたは複数のコマンドを処理するインターフェースをさらに備える、請求項１２に記載の装置。
【請求項１５】
前記事業者制御リストが、前記ワイヤレスネットワークへのアクセスを与えるには不適当なアクセスポイントに関係する識別子のブラックリストである、請求項１２に記載の装置。
【請求項１６】
前記事業者制御リストが、前記ワイヤレスネットワークへのアクセスを与えるには不適当なアクセスポイントに関係する識別子のブラックリストである、請求項１２に記載の装置。
【請求項１７】
ワイヤレスネットワークへのアクセスを要求する元であるセルを識別するための方法であって、
前記ワイヤレスネットワーク中のアクセスポイントに関係する識別子を含む事業者制御リストを維持すること、前記事業者制御リストに含まれる前記識別子は、前記ワイヤレスネットワークから受信したコマンドに少なくとも部分的に基づいて追加されおよび削除される、と、
前記ワイヤレスネットワークへのアクセスを与えるには不適当なアクセスポイントに関係する識別子を含むユーザ制御ブラックリストを維持することと、
前記ワイヤレスネットワークから受信したコマンドに従って前記ユーザ制御ブラックリストに含まれる前記識別子を追加しおよび削除することと、
前記ワイヤレスネットワークへのアクセスを要求するための１つまたは複数のアクセスポイントを判断する際に前記ユーザ制御ブラックリストに維持された前記識別子を利用すること、前記ユーザ制御ブラックリストに含まれた前記識別子を利用することは、競合が起こる場合、前記事業者制御リストおよび前記ユーザ制御リストのどちらが優先するかを判断することを含む、と、を備える方法。
【請求項１８】
前記コマンドは、アクセスポイントの少なくとも１つの動作パラメータの更新に関連し、前記ユーザ制御ブラックリストに含まれる前記識別子を追加しおよび削除することは、前記アクセスポイントに関係する識別子を前記ユーザ制御ブラックリストから除去することを含み、前記少なくとも１つの動作パラメータは、アクセスポイントに関係する信号品質、接続スループット、提供されるサービス、サービスプロバイダの少なくとも１つに関する、請求項１７に記載の方法。
【請求項１９】
前記アクセスポイントの前記識別子を、前記ワイヤレスネットワークへのアクセスを与えるのに適当なアクセスポイントに関係する適当な識別子のホワイトリストに追加することをさらに備える、請求項１８に記載の方法。
【請求項２０】
前記ホワイトリストが、好適なユーザゾーンリスト（ＰＵＺＬ）データベースに記憶される、請求項１９に記載の方法。
【請求項２１】
前記ブラックリストおよび前記ホワイトリストがアクセスポイントの単一のリストに対応し、前記単一のリスト中の各エントリがブラックリスト識別子またはホワイトリスト識別子を有する、請求項１９に記載の方法。
【請求項２２】
前記コマンドが、前記ユーザ制御ブラックリストをフラッシュしたいという要求であり、前記ユーザ制御ブラックリストに含まれる前記識別子を追加しおよび削除することが、前記ブラックリストからすべてのエントリを除去することを含む、請求項１７に記載の方法。
【請求項２３】
前記ワイヤレスネットワークから前記コマンドをショートメッセージサービス（ＳＭＳ）メッセージとして受信することをさらに備える、請求項１７に記載の方法。
【請求項２４】
前記ワイヤレスネットワークから前記ユーザ制御ブラックリストを最初に受信することをさらに備える、請求項１７に記載の方法。
【請求項２５】
不適当なアクセスポイント識別子のローカルブラックリストを維持することをさらに備える、請求項２４に記載の方法。
【請求項２６】
前記ユーザインターフェースから受信したコマンドに少なくとも部分的に基づいて前記ローカルブラックリストを更新することをさらに備える、請求項２５に記載の方法。
【請求項２７】
前記ワイヤレスネットワークへのアクセスを要求するための１つまたは複数のアクセスポイントを判断する際に前記ブラックリストを利用することが、
識別子を広告する範囲内アクセスポイントを発見することと、
前記識別子が前記ブラックリスト中にあると判断したときに、１つまたは複数の異なるアクセスポイントをスキャンすることと、を含む、請求項１７に記載の方法。
【請求項２８】
ワイヤレスネットワークとの通信における使用のための装置であって、
前記ワイヤレスネットワーク中のアクセスポイントに関係する識別子を含む事業者制御リストを維持するための手段、前記事業者制御リストに含まれる前記識別子は、前記ワイヤレスネットワークから受信したコマンドに少なくとも部分的に基づいて追加されおよび削除される、と、
前記ワイヤレスネットワークへのアクセスを与えるには不適当なアクセスポイントに関係する識別子を含むユーザ制御ブラックリストを維持するための手段、前記ユーザ制御ブラックリストに含まれる前記識別子は、ワイヤレス通信装置のユーザインターフェースからの入力に少なくとも部分的にしたがって追加されおよび削除される、と、
前記ワイヤレスネットワークから受信した更新コマンドに従って前記ユーザ制御ブラックリストに含まれる前記識別子を追加しおよび削除するための手段と、
１つまたは複数のアクセスポイントからのワイヤレスネットワークアクセスを要求する際に前記ユーザ制御ブラックリスト中に維持される前記識別子を分析するための手段、前記ユーザ制御ブラックリスト中に維持される前記識別子を分析するための手段は、競合が起こる場合、前記事業者制御リストおよび前記ユーザ制御リストのどちらが優先するかを判断するための手段を含む、と、を備える装置。
【請求項２９】
前記更新コマンドは、アクセスポイントの動作パラメータの更新に関連し、前記ユーザ制御ブラックリストに含まれる前記識別子を追加しおよび削除するための前記手段は、前記アクセスポイントに関係する識別子を前記ユーザ制御ブラックリストから除去する、請求項２８に記載の装置。
【請求項３０】
ワイヤレス通信装置のワイヤレスネットワークとの通信のためのコンピュータプログラムであって、
前記ワイヤレスネットワーク中のアクセスポイントに関係する識別子を含む事業者制御リストを維持することを少なくとも１つのコンピュータに行わせるためのコード、前記事業者制御リストに含まれる前記識別子は、前記ワイヤレスネットワークから受信したコマンドに少なくとも部分的に基づいて追加されおよび削除される、と、
前記ワイヤレスネットワークへのアクセスを与えるには不適当なアクセスポイントに関係する識別子のユーザ制御ブラックリストを維持することを前記少なくとも１つのコンピュータに行わせるためのコード、前記ユーザ制御ブラックリストに含まれる前記識別子は、ワイヤレス通信装置のユーザインターフェースからの入力に少なくとも部分的にしたがって追加されおよび削除される、と、
前記ワイヤレスネットワークから受信したコマンドに従って前記ユーザ制御ブラックリストに含まれる前記識別子を追加しおよび削除することを前記少なくとも１つのコンピュータに行わせるためのコードと、
前記ワイヤレスネットワークへのアクセスを要求するための１つまたは複数のアクセスポイントを判断する際に前記ユーザ制御ブラックリスト中に維持された前記識別子を利用することを前記少なくとも１つのコンピュータに行わせるためのコード、前記ユーザ制御ブラックリスト中に維持された前記識別子を利用することを前記少なくとも１つのコンピュータに行わせるためのコードは、競合が起こる場合、前記事業者制御リストおよび前記ユーザ制御リストのどちらが優先するかを判断することを前記少なくとも１つのコンピュータに行わせるためのコードを含む、と、を備えるコンピュータプログラム。
【請求項３１】
前記コマンドは、アクセスポイントの少なくとも１つの動作パラメータの更新に関連し、前記ユーザ制御ブラックリストに含まれる前記識別子を追加しおよび削除することは、前記アクセスポイントに関係する識別子を前記ブラックリストから除去することを含み、前記少なくとも１つの動作パラメータは、アクセスポイントに関係する信号品質、接続スループット、提供されるサービス、サービスプロバイダの少なくとも１つに関する、請求項３０に記載のコンピュータプログラム。
【請求項３２】
ワイヤレスネットワークとの通信における使用のための装置であって、
前記ワイヤレスネットワーク中のアクセスポイントに関係する識別子を含む事業者制御リストと前記ワイヤレスネットワークへのアクセスを与えるには不適当なアクセスポイントに関係する識別子を含むユーザ制御ブラックリストを管理するリストメインテナ、前記事業者制御リストに含まれる識別子は、前記ワイヤレスネットワークから受信したコマンドに少なくとも部分的に基づいて追加されおよび削除され、前記ユーザ制御ブラックリストに含まれる前記識別子は、前記ワイヤレス通信装置のユーザインターフェースからの入力に少なくとも部分的にしたがって追加されおよび削除される、リストメインテナと、
前記ワイヤレスネットワークから受信した、前記ユーザ制御ブラックリストを更新するための１つまたは複数のコマンドを処理するネットワークコマンドアナライザと、
前記ワイヤレスネットワークへのアクセスを要求する元であるアクセスポイントを選択する際に前記ユーザ制御ブラックリスト中の前記識別子を利用するアクセスポイント評価器と、を備え、
前記リストメインテナは、競合が起こる場合、前記事業者制御リストおよび前記ユーザ制御ブラックリストのどちらが優先するかを判断する、装置。
【請求項３３】
前記１つまたは複数のコマンドが、前記ユーザ制御ブラックリスト中のエントリの除去を指定するコマンドを備え、前記リストメインテナが前記エントリを前記ユーザ制御ブラックリストから除去する、請求項３２に記載の装置。
【請求項３４】
前記リストメインテナが、前記ワイヤレスネットワークへのアクセスを与えるのに適当なアクセスポイントのホワイトリストに前記エントリをさらに追加する、請求項３３に記載の装置。
【請求項３５】
前記ホワイトリストが、好適なユーザゾーンリスト（ＰＵＺＬ）データベースに記憶される、請求項３４に記載の装置。
【請求項３６】
前記ブラックリストおよび前記ホワイトリストがアクセスポイントに関係する識別子の単一のリストに対応し、前記単一のリスト中の各エントリがブラックリスト識別子またはホワイトリスト識別子を有する、請求項３４に記載の装置。
【請求項３７】
前記１つまたは複数のコマンドが、前記ユーザ制御ブラックリスト中のエントリの１つまたは複数のパラメータの更新を指定するコマンドを備え、前記リストメインテナが前記コマンドに基づいて前記エントリを前記ユーザ制御ブラックリストから除去する、請求項３２に記載の装置。
【請求項３８】
ワイヤレスネットワークへのアクセスを要求する元であるセルを識別するための方法であって、
前記ワイヤレスネットワーク中のアクセスポイントに関係する識別子を含む事業者制御リストを維持すること、前記事業者制御リストに含まれる前記識別子は、前記ワイヤレスネットワークから受信したコマンドに少なくとも部分的に基づいて追加されおよび削除される、と、
前記ワイヤレスネットワークへのアクセスを与えるには不適当なアクセスポイントに関係する識別子を含むユーザ制御ブラックリストを維持すること、前記ユーザ制御ブラックリストに含まれる前記識別子は、与えられたユーザインターフェースから受信した１つまたは複数の入力に少なくとも部分的に基づいて追加されおよび削除される、と、
前記ワイヤレスネットワークへのアクセスを与えるアクセスポイントを検出することと、
前記ユーザ制御ブラックリストに含まれる前記アクセスポイントに関係する前記識別子を識別することに少なくとも部分的に基づいて、１つまたは複数の異なるアクセスポイントをスキャンすること、前記１つまたは複数の異なるアクセスポイントをスキャンすることは、競合が起こる場合、前記事業者制御リストおよび前記ユーザ制御ブラックリストのどちらが優先するかを判断することを含む、と、を備える方法。
【請求項３９】
前記ユーザインターフェースから受信した追加のための入力を処理することに少なくとも部分的に基づいて、前記アクセスポイントの識別子を前記ユーザ制御ブラックリストに追加することをさらに備える、請求項３８に記載の方法。
【請求項４０】
前記アクセスポイントを検出したときに、前記アクセスポイントに関係する前記識別子を前記ユーザ制御ブラックリストに追加することに関係する、前記ユーザインターフェース上のプロンプトを表示することをさらに備える、請求項３９に記載の方法。
【請求項４１】
前記ユーザインターフェースから受信した削除のための入力を処理することに少なくとも部分的に基づいて、前記アクセスポイントに関係する前記識別子を前記ユーザ制御ブラックリストから除去することをさらに備える、請求項３９に記載の方法。
【請求項４２】
前記ユーザインターフェースから受信した前記削除の要求が、前記ユーザ制御ブラックリストをフラッシュしたいという要求である、請求項４１に記載の方法。
【請求項４３】
前記アクセスポイントに関係する前記識別子を前記ユーザ制御ブラックリストに追加することが、前記ワイヤレスネットワークからのコマンドによる削除が禁止されるように、前記識別子を永続的なエントリとして指定することを含む、請求項３９に記載の方法。
【請求項４４】
前記ユーザ制御ブラックリストをリムーバブルメモリデバイス上に記憶することをさらに備える、請求項３８に記載の方法。
【請求項４５】
ワイヤレスネットワークとの通信における使用のためのワイヤレス通信装置であって、
前記ワイヤレスネットワーク中のアクセスポイントに関係する識別子を含む事業者制御リストを管理すること、前記事業者制御リストに含まれる前記識別子は、前記ワイヤレスネットワークから受信したコマンドに少なくとも部分的に基づいて追加されおよび削除される、と、
前記ワイヤレス通信装置にワイヤレスネットワークアクセスを与えるには不適当なアクセスポイントに関係する識別子を含むユーザ制御ブラックリストを管理すること、前記ユーザ制御ブラックリストに含まれる識別子は、与えられたユーザインターフェースから受信した１つまたは複数の入力に少なくとも部分的に基づいて追加されおよび削除される、と、
前記ワイヤレスネットワークへのアクセスを与えるアクセスポイントを検出することと、
前記ユーザ制御ブラックリスト中の前記アクセスポイントに関係する識別子を識別することに少なくとも部分的に基づいて、１つまたは複数の異なるアクセスポイントを分析すること、前記１つまたは複数の異なるアクセスポイントを分析することは、競合が起こる場合、前記事業者制御リストおよび前記ユーザ制御ブラックリストのどちらが優先するかを判断することを含む、と、のために構成された少なくとも１つのプロセッサと、
前記少なくとも１つのプロセッサに結合されたメモリと、を備えるワイヤレス通信装置。
【請求項４６】
前記少なくとも１つのプロセッサが、前記与えられたユーザインターフェースから受信した追加のための入力を処理することに少なくとも部分的に基づいて、前記アクセスポイントに関係する識別子を前記ユーザ制御ブラックリストに追加するようにさらに構成された、請求項４５に記載のワイヤレス通信装置。
【請求項４７】
ワイヤレスネットワークとの通信における使用のための装置であって、
前記ワイヤレスネットワーク中のアクセスポイントに関係する識別子を含む事業者制御リストを管理するための手段、前記事業者制御リストに含まれる前記識別子は、前記ワイヤレスネットワークから受信したコマンドに少なくとも部分的に基づいて追加されおよび削除される、と、
前記ワイヤレスネットワークへのアクセスを与えるには不適当なアクセスポイントに関係する識別子を含むユーザ制御ブラックリストを維持するための手段と、
与えられたユーザインターフェースから受信した更新入力に従って前記ユーザ制御ブラックリストに含まれる前記識別子を追加しおよび削除するための手段と、
前記ワイヤレスネットワーク中の１つまたは複数のアクセスポイントからのワイヤレスネットワークアクセスを要求する際に前記ユーザ制御ブラックリスト中に維持された前記識別子を分析するための手段、前記識別子を分析するための手段は、競合が起こる場合、前記事業者制御リストおよび前記ユーザ制御ブラックリストのどちらが優先するかを判断するための手段を含む、と、を備える装置。
【請求項４８】
前記ユーザ制御ブラックリストを維持するための前記手段が、前記与えられたユーザインターフェースから受信した追加のための入力を処理することに少なくとも部分的に基づいて、前記１つまたは複数のアクセスポイントに関係する識別子を前記ユーザ制御ブラックリストに追加する、請求項４７に記載の装置。
【請求項４９】
ワイヤレス通信装置のワイヤレスネットワークとの通信のためのコンピュータプログラムであって、
前記ワイヤレスネットワーク中のアクセスポイントに関係する識別子を含む事業者制御リストを維持することを、少なくとも１つのコンピュータに行わせるためのコード、前記事業者制御リストに含まれる前記識別子は、前記ワイヤレスネットワークから受信したコマンドに少なくとも部分的に基づいて追加されおよび削除される、と、
前記ワイヤレスネットワークへのアクセスを与えるには不適当なアクセスポイントに関係する識別子を含むユーザ制御ブラックリストを維持することを前記少なくとも１つのコンピュータに行わせるためのコード、前記ユーザ制御ブラックリストに含まれる前記識別子は、与えられたユーザインターフェースから受信した１つまたは複数の入力に少なくとも部分的に基づいて追加されおよび削除される、と、
前記ワイヤレスネットワークへのアクセスを与えるアクセスポイントを検出することを前記少なくとも１つのコンピュータに行わせるためのコードと、
前記ユーザ制御ブラックリスト中の前記アクセスポイントに関連した識別子を識別することに少なくとも部分的に基づいて、１つまたは複数の異なるアクセスポイントをスキャンすることを前記少なくとも１つのコンピュータに行わせるためのコード、前記１つまたは複数の異なるアクセスポイントをスキャンすることを前記少なくとも１つのコンピュータに行わせるためのコードは、競合が起こる場合、前記事業者制御リストおよび前記ユーザ制御ブラックリストのどちらが優先するかを判断することを前記少なくとも１つのコンピュータに行わせることを含む、と、を備えるコンピュータプログラム。
【請求項５０】
前記ユーザインターフェースから受信した追加のための入力を処理することに少なくとも部分的に基づいて、前記アクセスポイントに関係する識別子を前記ユーザ制御ブラックリストに追加することを前記少なくとも１つのコンピュータに行わせるためのコードをさらに備える、請求項４９に記載のコンピュータプログラム。
【請求項５１】
ワイヤレスネットワークとの通信における使用のための装置であって、
前記ワイヤレスネットワーク中のアクセスポイントに関係する識別子を含む事業者制御リストを維持するために、前記ワイヤレスネットワークからコマンドを受信するネットワークコマンド受信機、前記事業者制御リストに含まれる前記識別子は、前記ワイヤレスネットワークから受信したコマンドに少なくとも部分的に基づいて追加されおよび削除される、と、
前記ワイヤレスネットワークへのアクセスを与えるには不適当なアクセスポイントに関係する識別子を含むユーザ制御ブラックリストを更新するための１つまたは複数の入力を受信するユーザインターフェースと、
与えられたユーザインターフェースから受信した前記１つまたは複数の入力に少なくとも部分的に基づいて前記ユーザ制御ブラックリストに含まれる前記識別子を追加しおよび削除するリストメインテナと、
前記ワイヤレスネットワークへのアクセスを要求する元であるアクセスポイントを選択する際に前記ユーザ制御ブラックリスト中の前記識別子を利用するアクセスポイント評価器と、を備え、
前記リストメインテナは、競合が起こる場合、前記事業者制御リストおよび前記ユーザ制御ブラックリストのどちらが優先するかを判断する、装置。
【請求項５２】
前記インターフェースは、不適当なアクセスポイントを前記ユーザ制御ブラックリストに追加するための入力を前記ユーザインターフェースから受信し、前記リストメインテナは、前記不適当なアクセスポイントを前記ユーザ制御ブラックリストに追加する、請求項５１に記載の装置。
【請求項５３】
前記アクセスポイント評価器が、前記ユーザ制御ブラックリスト中の前記不適当なアクセスポイントに関係する識別子を識別することに少なくとも部分的に基づいて、アクセスポイントを選択する際に前記不適当なアクセスポイントを無視する、請求項５２に記載の装置。
【請求項５４】
前記ユーザインターフェースが、前記不適当なアクセスポイントに遭遇する前記アクセスポイント評価器に少なくとも部分的に基づいて、前記不適当なアクセスポイントに関係した前記識別子を前記ユーザ制御ブラックリストに追加するためのプロンプトを表示する、請求項５２に記載の装置。
【請求項５５】
前記ユーザインターフェースが、前記不適当なアクセスポイントに関係した前記識別子を前記ユーザ制御ブラックリストから除去するための入力をさらに受信し、前記リストメインテナが、前記不適当なアクセスポイントに関係した識別子を前記ユーザ制御ブラックリストから除去する、請求項５２に記載の装置。
【請求項５６】
ワイヤレスネットワークへのアクセスを要求する元であるセルを識別するための方法であって、
前記ワイヤレスネットワーク中のアクセスポイントに関係するアクセスポイント識別子を含む事業者制御リストを維持すること、前記事業者制御リストに含まれる前記アクセスポイント識別子は、前記ワイヤレスネットワークから受信したコマンドに少なくとも部分的に基づいて追加されおよび削除される、と、
前記ワイヤレスネットワークへの同様のアクセスを与えるアクセスポイントのグループに対応する、アクセスポイント識別子を含む複数のユーザ制御リストを維持すること、前記ユーザ制御リストに含まれる前記アクセスポイント識別子は、ワイヤレス通信装置のユーザインターフェースからの入力に少なくとも部分的にしたがって追加されおよび削除される、と、
前記ユーザ制御リストの少なくとも１つ中に存在するアクセスポイント識別子を広告するアクセスポイントを検出することと、
前記少なくとも１つのユーザ制御リスト中の前記アクセスポイント識別子の存在に少なくとも部分的に基づいて、前記アクセスポイントとの接続を確立すべきかどうかを判断すること、前記接続を確立すべきかどうかを判断することは、競合が起こる場合、前記事業者制御リストおよび前記ユーザ制御リストのどちらが優先するかを判断することを含む、と、を備える方法。
【請求項５７】
前記少なくとも１つのユーザ制御リストが、前記ワイヤレスネットワークへのアクセスを与えるには不適当なアクセスポイントを示すアクセスポイント識別子のブラックリストである、請求項５６に記載の方法。
【請求項５８】
前記少なくとも１つのユーザ制御リストが、前記ワイヤレスネットワークへのアクセスを与えるためのアクセスポイントを示すアクセスポイント識別子のホワイトリストである、請求項５６に記載の方法。
【請求項５９】
与えられたユーザインターフェースから受信した１つまたは複数の入力に少なくとも部分的に基づいて、前記少なくとも１つのユーザ制御リストを修正することをさらに備える、請求項５６に記載の方法。
【請求項６０】
前記ワイヤレスネットワークから受信した１つまたは複数のコマンドに少なくとも部分的に基づいて、前記少なくとも１つのユーザ制御リストを修正することをさらに備える、請求項５６に記載の方法。
【請求項６１】
１つまたは複数の検出されたイベントに少なくとも部分的に基づいて、前記少なくとも１つのユーザ制御リストを修正することをさらに備える、請求項５６に記載の方法。
【請求項６２】
前記１つまたは複数の検出されたイベントが、前記アクセスポイントへの１つまたは複数の成功または失敗した接続確立要求を備える、請求項６１に記載の方法。
【請求項６３】
ワイヤレスネットワークとの通信における使用のためのワイヤレス通信装置であって、
前記ワイヤレスネットワーク中のアクセスポイントに関係するアクセスポイント識別子を含む事業者制御リストを管理すること、前記事業者制御リストに含まれる前記アクセスポイント識別子は、前記ワイヤレスネットワークから受信したコマンドに少なくとも部分的に基づいて追加されおよび削除される、と、
アクセスポイント識別子を含む複数のユーザ制御リストを管理すること、前記複数のユーザ制御リストに含まれる前記アクセスポイント識別子は前記ワイヤレスネットワークへの同様のアクセスを与えるアクセスポイントのグループに関係し、前記複数のユーザ制御リストに含まれる前記アクセスポイント識別子は、前記ワイヤレス通信装置のユーザインターフェースからの入力に少なくとも部分的にしたがって追加されおよび削除される、と、
前記ワイヤレスネットワークへのアクセスを与え、前記ユーザ制御リストの少なくとも１つ中に存在するアクセスポイント識別子を広告する、アクセスポイントを検出することと、
前記少なくとも１つのユーザ制御リスト中の前記アクセスポイント識別子の存在と前記少なくとも１つのユーザ制御リストのタイプとに基づいて、前記アクセスポイントとの通信を確立すべきかどうかを判断することと、のために構成された少なくとも１つのプロセッサと、
前記少なくとも１つのプロセッサに結合されたメモリと、を備え、
前記少なくとも１つのプロセッサは、競合が起こる場合、前記事業者制御リストおよび前記複数のユーザ制御リストのどちらが優先するかを判断することのためにさらに構成された、ワイヤレス通信装置。
【請求項６４】
前記少なくとも１つのユーザ制御リストが、前記ワイヤレスネットワークへのアクセスを与えるには不適当なアクセスポイントを示すアクセスポイント識別子のブラックリストである、請求項６３に記載のワイヤレス通信装置。
【請求項６５】
ワイヤレスネットワークとの通信における使用のための装置であって、
前記ワイヤレスネットワーク中のアクセスポイントに関係するアクセスポイント識別子を含む事業者制御リストを管理するための手段、前記事業者制御リストに含まれる前記アクセスポイント識別子は、前記ワイヤレスネットワークから受信したコマンドに少なくとも部分的に基づいて追加されおよび削除される、と、
アクセスポイント識別子を含む複数のユーザ制御リストを維持するための手段、前記複数のユーザ制御リストに含まれる前記アクセスポイント識別子は、前記ワイヤレスネットワークへの同様のアクセスを与えるアクセスポイントのグループに関係し、前記ユーザ制御リストに含まれる前記アクセスポイント識別子は、ワイヤレス通信装置のユーザインターフェースからの入力に少なくとも部分的にしたがって追加されおよび削除される、と、
アクセスポイントのアクセスポイント識別子の存在を検出するために前記ユーザ制御リストの少なくとも１つを分析するための手段、前記ユーザ制御リストの少なくとも１つを分析するための手段は、競合が起こる場合、前記事業者制御リストおよび前記複数のユーザ制御リストのどちらが優先するかを判断するための手段を含む、と、
前記少なくとも１つのユーザ制御リスト中の前記識別子を分析することに基づいて、前記アクセスポイントとの通信を確立するための手段と、を備える装置。
【請求項６６】
前記少なくとも１つのユーザ制御リストが、前記ワイヤレスネットワークへのアクセスを与えるには不適当なアクセスポイントを示すアクセスポイント識別子のブラックリストである、請求項６５に記載の装置。
【請求項６７】
ワイヤレス通信装置のワイヤレスネットワークとの通信のためのコンピュータプログラムであって、
前記ワイヤレスネットワーク中のアクセスポイントに関係するアクセスポイント識別子を含む事業者制御リストを維持することを少なくとも１つのコンピュータに行わせるためのコード、前記事業者制御リストに含まれる前記アクセスポイント識別子は、前記ワイヤレスネットワークから受信したコマンドに少なくとも部分的に基づいて追加されおよび削除される、と、
前記ワイヤレスネットワークへの同様のアクセスを与えるアクセスポイントのグループに対応する、アクセスポイント識別子を含む複数のユーザ制御リストを維持することを前記少なくとも１つのコンピュータに行わせるためのコード、前記複数のユーザ制御リストに含まれる前記アクセスポイント識別子は、前記ワイヤレス通信装置のユーザインターフェースからの入力に少なくとも部分的にしたがって追加されおよび削除される、と、
前記ユーザ制御リストの少なくとも１つ中に存在するアクセスポイント識別子を広告するアクセスポイントを検出することを前記少なくとも１つのコンピュータに行わせるためのコードと、
前記少なくとも１つのユーザ制御リスト中の前記アクセスポイント識別子の存在に少なくとも部分的に基づいて、前記アクセスポイントとの接続を確立すべきかどうかを判断することを前記少なくとも１つのコンピュータに行わせるためのコード、前記接続を確立すべきかどうかを判断することを前記少なくとも１つのコンピュータに行わせるためのコードは、競合が起こる場合、前記事業者制御リストおよび前記複数のユーザ制御リストのどちらが優先するかを判断することを前記少なくとも１つのコンピュータに行わせるためのコードを含む、と、を備えるコンピュータプログラム。
【請求項６８】
前記少なくとも１つのユーザ制御リストが、前記ワイヤレスネットワークへのアクセスを与えるには不適当なアクセスポイントを示すアクセスポイント識別子のブラックリストである、請求項６７に記載のコンピュータプログラム。
【請求項６９】
ワイヤレスネットワークとの通信における使用のための装置であって、
アクセスポイント識別子を含む事業者制御リストとアクセスポイント識別子を含む複数のユーザ制御リストを管理するリストメインテナ、前記事業者制御リストに含まれる前記アクセスポイント識別子は、前記ワイヤレスネットワークから受信したコマンドに少なくとも部分的に基づいて追加されおよび削除され、前記複数のユーザ制御リストに含まれる前記アクセスポイント識別子は、前記ワイヤレスネットワークへの同様のアクセスを与えるアクセスポイントのグループに対応し、前記ユーザ制御リストに含まれる前記アクセスポイント識別子は、ワイヤレス通信装置のユーザインターフェースからの入力に少なくとも部分的にしたがって追加されおよび削除される、と、
識別子を広告するアクセスポイントを検出し、前記識別子が存在するかどうかを判断するために前記ユーザ制御リストの少なくとも１つ中の前記識別子を分析することに少なくとも部分的に基づいて前記アクセスポイントとの通信を確立する、アクセスポイント評価器、競合が起こる場合、前記事業者制御リストおよび前記複数のユーザ制御リストのどちらが優先するかが判断される、と、を備える装置。
【請求項７０】
前記少なくとも１つのユーザ制御リストが、前記ワイヤレスネットワークへのアクセスを与えるには不適当なアクセスポイントを示すアクセスポイント識別子のブラックリストである、請求項６９に記載の装置。
【請求項７１】
前記少なくとも１つのユーザ制御リストが、前記ワイヤレスネットワークへのアクセスを与えるためのアクセスポイントを示すアクセスポイント識別子のホワイトリストである、請求項６９に記載の装置。
【請求項７２】
ユーザインターフェースをさらに備え、前記リストメインテナが、前記ユーザインターフェースから受信した１つまたは複数の入力に少なくとも部分的に基づいて、前記ユーザ制御リストの少なくとも１つをさらに修正する、請求項６９に記載の装置。